(57)【要約】【課題】テレビ放送受信装置において、複数の電子機器の電源オン操作にかかる手間を省くための機能を簡素で安価な構成によって実現する。【解決手段】テレビ放送受信装置１は、放送局から配信されるテレビ放送の映像及び音声を再生する。テレビ放送受信装置１には、複数の電子機器装置２ａ〜２ｄと、物体が載せられたことを検出する検出装置３が接続される。検出装置３は、ユーザが帰宅したときに習慣的に携行品を置く場所に設置される。テレビ放送受信装置１は、検出装置３により物体が載せられたこと（ユーザが帰宅して携行品が置かれたこと）が検出されると、テレビ放送受信装置１の電源をオンにすると共に、電子機器装置２ａ〜２ｄのうちの電源オン対象機器に対して電源をオンにする制御コマンドを送信することにより、電源オン対象機器の電源をオンにする。電源オン対象機器は、ユーザの操作により予め設定される。【選択図】図１
2007324826.tif 000002
【特許請求の範囲】
【請求項１】
放送局から配信される放送信号を受信するチューナと、前記チューナにより受信した放送信号を処理して、テレビ放送による映像をディスプレイで表示するための信号を生成するＡＶ信号処理部と、他の機器と通信を行うための通信手段と、本装置の動作を指示するためにユーザにより操作される操作手段とを備え、前記ＡＶ信号処理部により生成された信号を前記ディスプレイに出力することによりテレビ放送による映像を前記ディスプレイに表示するテレビ放送受信装置において、
所定の場所に設置されて物体が載せられたことを検出する検出装置から出力される検出信号を受信する検出信号受信手段と、
本装置の電源オン動作及び前記通信手段を介して本装置に通信接続される他の機器の電源オン動作を制御する電源制御手段と、
前記操作手段による操作を基に、前記通信手段を介して本装置に通信接続される複数の他の機器の中から、前記検出信号受信手段により検出信号を受信したときに電源をオンにする電源オン対象機器を設定する設定制御手段とを備え、
前記通信手段は、
ＷＯＬ（Wake−On−LAN）機能によって他の機器の電源をオンする制御コマンドを送信するためのＬＡＮインタフェースと、
ＩＲコントロール接続を介してＩＲ接続用の制御コマンドを送信するためのＩＲコントローラインタフェースと、
ＩＥＥＥ１３９４バスを介してＩＥＥＥ１３９４用の制御コマンドを送信するためのＩＥＥＥ１３９４インタフェースとを含み、
前記設定手段は、電源オン対象機器を設定するための設定画面を前記ディスプレイに表示し、
前記電源制御手段は、前記検出信号受信手段により検出信号を受信したとき、本装置の電源をオンにしてテレビ放送による映像を前記ディスプレイで表示すると共に、前記設定手段により設定された電源オン対象機器に応じて、電源オン対象機器の電源をオンにする制御コマンドを前記ＬＡＮインタフェース、ＩＲコントローラインタフェース、及びＩＥＥＥ１３９４インタフェースのうちいずれかを介して送信することにより、電源オン対象機器の電源をオンにすることを特徴とするテレビ放送受信装置。
【請求項２】
他の機器と通信を行うための通信手段と、本装置の動作を指示するためにユーザにより操作される操作手段とを備えた電子機器装置において、
ユーザの動作に伴う所定の状態を検出する検出装置から出力される検出信号を受信する検出信号受信手段と、
本装置の電源オン動作及び前記通信手段を介して本装置に通信接続される他の機器の電源オン動作を制御する電源制御手段と、
前記操作手段による操作を基に、前記通信手段を介して本装置に通信接続される複数の他の機器の中から、前記検出信号受信手段により検出信号を受信したときに電源をオンにする電源オン対象機器を設定する設定制御手段とを備え、
前記電源制御手段は、前記検出信号受信手段により検出信号を受信したとき、本装置の電源をオンにすると共に、前記設定手段により設定された電源オン対象機器の電源をオンにする制御コマンドを前記通信手段を介して送信することにより、電源オン対象機器の電源をオンにすることを特徴とする電子機器装置。
【請求項３】
前記通信手段は、
ＷＯＬ（Wake−On−LAN）機能によって他の機器の電源をオンする制御コマンドを送信するためのＬＡＮインタフェースと、
ＩＲコントロール接続を介してＩＲ接続用の制御コマンドを送信するためのＩＲコントローラインタフェースと、
ＩＥＥＥ１３９４バスを介してＩＥＥＥ１３９４用の制御コマンドを送信するためのＩＥＥＥ１３９４インタフェースとを含み、
前記電源制御手段は、電源オン対象機器の電源をオンにする制御コマンドを前記ＬＡＮインタフェース、ＩＲコントローラインタフェース、及びＩＥＥＥ１３９４インタフェースのうちいずれかを介して送信することを特徴とする請求項２に記載の電子機器装置。
【発明の詳細な説明】
【技術分野】
【０００１】
本発明は、複数の機器の電源オン動作を制御するテレビ放送受信装置及び電子機器装置に関するものである。
【背景技術】
【０００２】
従来から、家庭内においては、複数の電子機器が設置されて使用される。このような電子機器としては、テレビ放送受信装置、録画機器、パーソナルコンピュータ、オーディオ機器などがある。これらの電子機器は、ユーザが外出するときに電源がオフにされ、また、ユーザが帰宅したときに電源がオンにされることが多く、ユーザは、帰宅したとき、習慣的に、ある決まった１台の機器又は複数台の機器の電源をオンにすることが多い。
【０００３】
一方、ユーザの携行品に複数の被制御機器との間で無線で通信する通信手段を組み込み、携行品を所持するユーザが各被制御装置に接近すると、携行品の通信手段と各被制御装置との間で通信が確保されて、通信手段から各被制御機器の動作モードを設定する信号が送信されることにより、各被制御機器の動作モードが自動的に設定されるようにした遠隔制御システムが知られている（例えば、特許文献１参照）。また、ユーザが帰宅した場合に、ユーザが帰宅したことを監視カメラやモーションセンサ等によって検出して、家庭内の機器の電源をオンさせるようにした集中情報管理システムが知られている（例えば、特許文献２参照）。また、携帯電話機を充電用のクレードルに設置したときに、クレードルから各被制御装置に対して動作指示を行うようにしたセキュリティシステムが知られている（例えば、特許文献３参照）。
【特許文献１】特開２００５−１８４３８８号公報
【特許文献２】特開２００３−１７４６８６号公報
【特許文献３】特開２００２−３０５５７７号公報
【発明の開示】
【発明が解決しようとする課題】
【０００４】
ところで、上述した従来の電子機器においては、ユーザが帰宅して複数台の電子機器の電源をオンにする場合、ユーザは、各電子機器に対して１台ずつ電源オン操作をしなければならず、電源オン操作に手間がかかり、電源オン操作が煩わしかった。そこで、複数の電子機器の電源オン操作にかかる手間を省くための機能が要望されるが、このような機能は簡素で安価な構成によって実現することが望まれる。なお、上述した特許文献１乃至特許文献３に記載のシステムは、構成が複雑であり、また高価なものとなる。従って、これら特許文献１乃至特許文献３に開示の内容を適用したとしても、上記の課題を解決することはできない。
【０００５】
本発明は、上記課題を解決するためになされたものであり、複数の電子機器の電源オン操作にかかる手間を省くための機能を簡素で安価な構成によって実現することができるテレビ放送受信装置及び電子機器装置を提供することを目的とする。
【課題を解決するための手段】
【０００６】
上記目的を達成するために請求項１の発明は、放送局から配信される放送信号を受信するチューナと、チューナにより受信した放送信号を処理して、テレビ放送による映像をディスプレイで表示するための信号を生成するＡＶ信号処理部と、他の機器と通信を行うための通信手段と、本装置の動作を指示するためにユーザにより操作される操作手段とを備え、ＡＶ信号処理部により生成された信号をディスプレイに出力することによりテレビ放送による映像をディスプレイに表示するテレビ放送受信装置において、所定の場所に設置されて物体が載せられたことを検出する検出装置から出力される検出信号を受信する検出信号受信手段と、本装置の電源オン動作及び通信手段を介して本装置に通信接続される他の機器の電源オン動作を制御する電源制御手段と、操作手段による操作を基に、通信手段を介して本装置に通信接続される複数の他の機器の中から、検出信号受信手段により検出信号を受信したときに電源をオンにする電源オン対象機器を設定する設定制御手段とを備え、通信手段は、ＷＯＬ（Wake−On−LAN）機能によって他の機器の電源をオンする制御コマンドを送信するためのＬＡＮインタフェースと、ＩＲコントロール接続を介してＩＲ接続用の制御コマンドを送信するためのＩＲコントローラインタフェースと、ＩＥＥＥ１３９４バスを介してＩＥＥＥ１３９４用の制御コマンドを送信するためのＩＥＥＥ１３９４インタフェースとを含み、設定手段は、電源オン対象機器を設定するための設定画面をディスプレイに表示し、電源制御手段は、検出信号受信手段により検出信号を受信したとき、本装置の電源をオンにしてテレビ放送による映像をディスプレイで表示すると共に、設定手段により設定された電源オン対象機器に応じて、電源オン対象機器の電源をオンにする制御コマンドをＬＡＮインタフェース、ＩＲコントローラインタフェース、及びＩＥＥＥ１３９４インタフェースのうちいずれかを介して送信することにより、電源オン対象機器の電源をオンにするものである。
【０００７】
請求項２の発明は、他の機器と通信を行うための通信手段と、本装置の動作を指示するためにユーザにより操作される操作手段とを備えた電子機器装置において、ユーザの動作に伴う所定の状態を検出する検出装置から出力される検出信号を受信する検出信号受信手段と、本装置の電源オン動作及び通信手段を介して本装置に通信接続される他の機器の電源オン動作を制御する電源制御手段と、操作手段による操作を基に、通信手段を介して本装置に通信接続される複数の他の機器の中から、検出信号受信手段により検出信号を受信したときに電源をオンにする電源オン対象機器を設定する設定制御手段とを備え、電源制御手段は、検出信号受信手段により検出信号を受信したとき、本装置の電源をオンにすると共に、設定手段により設定された電源オン対象機器の電源をオンにする制御コマンドを通信手段を介して送信することにより、電源オン対象機器の電源をオンにするものである。
【０００８】
請求項３の発明は、請求項２に記載の電子機器装置において、通信手段は、ＷＯＬ（Wake−On−LAN）機能によって他の機器の電源をオンする制御コマンドを送信するためのＬＡＮインタフェースと、ＩＲコントロール接続を介してＩＲ接続用の制御コマンドを送信するためのＩＲコントローラインタフェースと、ＩＥＥＥ１３９４バスを介してＩＥＥＥ１３９４用の制御コマンドを送信するためのＩＥＥＥ１３９４インタフェースとを含み、電源制御手段は、電源オン対象機器の電源をオンにする制御コマンドをＬＡＮインタフェース、ＩＲコントローラインタフェース、及びＩＥＥＥ１３９４インタフェースのうちいずれかを介して送信するものである。
【発明の効果】
【０００９】
請求項１の発明によれば、物体が載せられたことが検出装置により検出されると、本装置に接続される複数の機器の中の予め設定しておいた電源オン対象機器の電源がオンにされる。ユーザは、帰宅したときに携行品（モバイル端末、財布、鍵、セカンドバッグなど）を習慣的にある決まった場所に置くことが多く、その場所に検出装置を設置しておくことにより、帰宅したときに携行品を習慣的にある決まった場所に置くというユーザの動作に伴う所定の状態（すなわち、ある決まった場所に携行品が置かれたこと）が検出装置によって検出されて、電源オン対象機器の電源がオンにされる。従って、ユーザは、予め複数の機器を電源オン対象機器として設定しておけば、帰宅したときに携行品を習慣的にある決まった場所に置くことによって、一度に複数の機器の電源をオンにすることができる。これにより、複数の機器の電源オン操作にかかる手間を省くことができ、複数の機器の電源オン操作をする煩わしさを解消することができる。しかも、複数の電子機器の電源オン操作にかかる手間を省くための機能を簡素で安価な構成によって実現することができる。さらに、帰宅したときに携行品をある決まった場所に置くというユーザの習慣的な動作によって、自動的に電源オン対象機器の電源がオンにされるため、利便性が向上する。また、電源オン対象機器の電源オン動作は、電源オン対象機器の電源をオンにする制御コマンドをＬＡＮインタフェース、ＩＲコントローラインタフェース、及びＩＥＥＥ１３９４インタフェースのうちいずれかを介して送信することにより行われるため、多様な通信形態の機器に対して電源をオンにすることができ、利便性が向上する。また、電源オン対象機器を設定するための設定画面がディスプレイに表示されるため、ユーザは、その設定画面によって電源オン対象機器を容易に設定することができ、利便性が向上する。
【００１０】
請求項２の発明によれば、ユーザの動作に伴う所定の状態が検出装置により検出されると、本装置に接続される複数の機器の中の予め設定しておいた電源オン対象機器の電源がオンにされる。従って、ユーザは、予め複数の機器を電源オン対象機器として設定しておけば、所定の状態となる動作を行うことによって、一度に複数の機器の電源をオンにすることができる。これにより、複数の機器の電源オン操作にかかる手間を省くことができ、複数の機器の電源オン操作をする煩わしさを解消することができる。しかも、複数の電子機器の電源オン操作にかかる手間を省くための機能を簡素で安価な構成によって実現することができる。
【００１１】
請求項３の発明によれば、電源オン対象機器の電源オン動作は、電源オン対象機器の電源をオンにする制御コマンドをＬＡＮインタフェース、ＩＲコントローラインタフェース、及びＩＥＥＥ１３９４インタフェースのうちいずれかを介して送信することにより行われるため、多様な通信形態の機器に対して電源をオンにすることができ、利便性が向上する。
【発明を実施するための最良の形態】
【００１２】
以下、本発明を具体化した実施形態による電子機器装置について図面を参照して説明する。図１は、電子機器装置であるテレビ放送受信装置を用いて、テレビ放送受信装置を含む複数の電子機器装置の電源オン動作を制御するようにした電子機器システムの概略構成を示す。
【００１３】
電子機器システム１００は、電子機器装置であるテレビ放送受信装置１と、テレビ放送受信装置１に接続される他の複数の電子機器装置２と、ユーザの動作に伴う所定の状態を検出する検出装置３とを備える。本実施形態では、テレビ放送受信装置１に接続される他の複数の電子機器装置２として、録画機器２ａ、オーディオ機器２ｂ、パーソナルコンピュータ２ｃ、ホームサーバ２ｄがテレビ放送受信装置１に接続されている。
【００１４】
テレビ放送受信装置１は、放送局から配信される放送信号を受信して、テレビ放送による映像及び音声を再生する装置である。録画機器２ａは、テレビ放送により配信されるテレビ番組を録画する機器であり、ＩＥＥＥ１３９４用の制御コマンドによって動作するようになっており、ＩＥＥＥ１３９４シリアルバス４を介してテレビ放送受信装置１に接続されている。オーディオ機器２ｂは、音楽を再生する機器であり、ＩＲ接続用の制御コマンドによって動作するようになっており、ＩＲコントロールケーブル５を介してテレビ放送受信装置１に接続されている。パーソナルコンピュータ２ｃ及びホームサーバ２ｄは、ＬＡＮケーブル６を介してテレビ放送受信装置１に接続されている。
【００１５】
検出装置３は、シリアル線７を介してテレビ放送受信装置１に接続されており、ユーザの動作に伴う所定の状態を検出して、その検出信号をシリアル線７を介してテレビ放送受信装置１に送信する。テレビ放送受信装置１は、検出装置３から検出信号を受信したとき（すなわち検出装置３によりユーザの動作に伴う所定の状態が検出されたとき）に、テレビ放送受信装置１の電源をオンにすると共に、録画機器２ａ、オーディオ機器２ｂ、パーソナルコンピュータ２ｃ、ホームサーバ２ｄの中から、予め設定された電源オン対象機器の電源をオンにするようになっている。電源オン対象機器の設定は、ユーザの操作により行われるようになっている。
【００１６】
図２は、上記検出装置３の構成を示す。検出装置３は、略平板状をしており、その上に物体が載せられると、その重みによって内部のスイッチがオンして、検出信号をシリアル線７から出力するようになっている。ユーザは、帰宅したときに携行品（モバイル端末、財布、鍵、セカンドバッグなど）を習慣的にある決まった場所に置くことが多く、検出装置３は、このようにユーザが帰宅したときに習慣的に携行品を置く場所（図２に示す例では、机の左隅）に設置される。従って、検出装置３は、ユーザが帰宅したときの動作に伴う所定の状態（すなわち、ある決まった場所（図２に示す例では、机の左隅）に携行品が置かれたこと）を検出し、その検出信号をシリアル線７を介してテレビ放送受信装置１に送信する。
【００１７】
図３は、上記テレビ放送受信装置１の電気的ブロック構成を示す。テレビ放送受信装置１は、テレビ放送受信装置１を制御するためのＣＰＵ等からなる制御部１１と、チューナ１２と、ＡＶ信号処理部１３と、ディスプレイ１４と、スピーカ１５と、検出信号受信部１６と、通信手段であるＬＡＮインタフェース１７、ＩＲコントローラインタフェース１８、及びＩＥＥＥ１３９４インタフェース１９と、メモリ２０と、リモコン２１と、リモコン受信部２２とを備えている。
【００１８】
チューナ１２は、制御部１１による制御のもと、放送局から配信される放送信号をアンテナ１２ａを介して受信する。ＡＶ信号処理部１３は、制御部１１による制御のもと、チューナ１２で受信した放送信号を処理して、テレビ放送による映像をディスプレイ１４で表示するための信号、及びテレビ放送による音声をスピーカ１５で出力するための信号を生成する。また、ＡＶ信号処理部１３は、制御部１１による制御のもと、電源オン対象機器を設定するための設定画面の映像等の各種映像をディスプレイ１４で表示するための信号を生成する。
【００１９】
ＡＶ信号処理部１３にて生成されたテレビ放送による映像を表示するための信号及びテレビ放送による音声を出力するための信号は、ディスプレイ１４及びスピーカ１５に出力され、これにより、テレビ放送の映像がディスプレイ１４に表示されると共に、テレビ放送の音声がスピーカ１５から出力される。また、ＡＶ信号処理部１３にて生成された設定画面の映像等の各種映像を表示するための信号は、ディスプレイ１４に出力され、これにより、電源オン対象機器を設定するための設定画面の映像等の各種映像がディスプレイ１４に表示される。
【００２０】
検出信号受信部１６は、検出装置３から送信される検出信号を受信し、その信号を制御部１１へ出力する。ＬＡＮインタフェース１７は、制御部１１による制御のもと、ＷＯＬ（Wake−On−LAN）機能によって電源をオンする制御コマンドをＬＡＮケーブル６を介して送信する。ＩＲコントローラインタフェース１８は、制御部１１による制御のもと、ＩＲ接続用の制御コマンドをＩＲコントロールケーブル５を介して送信する。ＩＥＥＥ１３９４インタフェース１９は、制御部１１による制御のもと、ＩＥＥＥ１３９４用の制御コマンドをＩＥＥＥ１３９４シリアルバス４を介して送信する。
【００２１】
メモリ２０は、制御部１１による制御のもと、電源オン対象機器の設定データ（検出信号受信部１６により検出信号を受信したときに、テレビ放送受信装置１に接続される他の複数の電子機器装置２のうち、いずれの電子機器装置の電源をオンにするかを示すデータ）を記憶する。また、メモリ２０は、他の複数の電子機器装置２の制御コマンドや通信形態に関する情報を記憶している。
【００２２】
リモコン２１は、テレビ放送受信装置１の電源のオン／オフ、テレビ放送の番組の選局、電源オン対象機器の設定等、テレビ放送受信装置１の各種動作を指示するためにユーザにより操作される。リモコン２１は、これらテレビ放送受信装置１の各種動作を指示するための各種操作キーを備えており、各種操作キーが操作されることにより、その操作に対応付けられた赤外線コード信号を送出する。リモコン受信部２２は、リモコン２１から送出された赤外線コード信号を受光し、その受光した信号を電気信号に変換して制御部１１へ出力する。
【００２３】
制御部１１は、リモコン受信部２２により受信した信号を基にリモコン２１の操作内容を判断し、リモコン２１の操作を受けて、テレビ放送受信装置１の電源のオン／オフ動作、チューナ１２による放送信号の受信動作、ＡＶ信号処理部１３による信号処理動作、ディスプレイ１４による映像の表示動作、スピーカ１５による音声出力動作等、テレビ放送受信装置１の各種動作を制御する。
【００２４】
また、制御部１１は、ユーザによるリモコン２１を用いた電源オン対象機器の設定操作を受けて、テレビ放送受信装置１に接続される複数の他の電子機器装置２の中から、検出信号受信部１６により検出信号を受信したときに電源をオンにする電源オン対象機器を設定する。このとき、制御部１１は、電源オン対象機器を設定するための設定画面（例えばテレビ放送受信装置１に接続されている電子機器装置２の一覧等から成る画面）をディスプレイ１４に表示し、リモコン２１の操作により設定画面の中から機器が選択されると、その選択された機器を電源オン対象機器とする設定データをメモリ２０に記憶し、これにより、電源オン対象機器を設定する。
【００２５】
さらにまた、制御部１１は、検出信号受信部１６により受信した検出信号を基に、テレビ放送受信装置１、及びテレビ放送受信装置１に接続されている電子機器装置２の電源オン動作を制御する。つまり、制御部１１は、検出信号受信部１６により検出信号を受信したとき（すなわち検出装置３によりユーザの動作に伴う所定の状態が検出されたとき）、テレビ放送受信装置１の電源をオンにして、テレビ放送による映像をディスプレイ１４で表示すると共にテレビ放送による音声をスピーカ１５から出力し、また、電子機器装置２のうち電源オン対象機器として設定されている機器の電源をオンにする。このとき、制御部１１は、電源オン対象機器については、メモリ２０に記憶している電源オン対象機器の設定データ及び電子機器装置２の制御コマンド等を基に、電源オン対象機器及び電源オン対象機器の通信経路の特定や、電源オン対象機器の電源をオンにする制御コマンドの生成を行い、そして、その制御コマンドを、電源オン対象機器の通信経路に応じてＬＡＮインタフェース１７、ＩＲコントローラインタフェース１８、及びＩＥＥＥ１３９４インタフェース１９のうちいずれかを介して送信することにより、電源オン対象機器の電源をオンにする。
【００２６】
このような構成のテレビ放送受信装置１によれば、物体が載せられたことが検出装置３により検出されると、テレビ放送受信装置１に接続される複数の電子機器装置２の中の予め設定しておいた電源オン対象機器の電源がオンにされる。ユーザは、帰宅したときに携行品（モバイル端末、財布、鍵、セカンドバッグなど）を習慣的にある決まった場所に置くことが多く、その場所に検出装置３を設置しておくことにより、帰宅したときに携行品を習慣的にある決まった場所に置くというユーザの動作に伴う所定の状態（すなわち、ある決まった場所に携行品が置かれたこと）が検出装置３によって検出されて、電源オン対象機器の電源がオンにされる。
【００２７】
従って、ユーザは、予め複数の電子機器装置２を電源オン対象機器として設定しておけば、帰宅したときに携行品を習慣的にある決まった場所に置くことによって、一度に複数の電子機器装置２の電源をオンにすることができる。これにより、複数の電子機器装置２の電源オン操作にかかる手間を省くことができ、複数の電子機器装置２の電源オン操作をする煩わしさを解消することができる。しかも、複数の電子機器装置２の電源オン操作にかかる手間を省くための機能を簡素で安価な構成によって実現することができる。さらに、帰宅したときに携行品をある決まった場所に置くというユーザの習慣的な動作によって、自動的に電源オン対象機器の電源がオンにされるため、利便性が向上する。
【００２８】
また、電源オン対象機器の電源オン動作は、電源オン対象機器の電源をオンにする制御コマンドをＬＡＮインタフェース１７、ＩＲコントローラインタフェース１８、及びＩＥＥＥ１３９４インタフェース１９のうちいずれかを介して送信することにより行われるため、多様な通信形態の電子機器装置２に対して電源をオンにすることができ、利便性が向上する。また、電源オン対象機器を設定するための設定画面がディスプレイ１４に表示されるため、ユーザは、その設定画面によって電源オン対象機器を容易に設定することができ、利便性が向上する。
【００２９】
なお、本発明は、上記各実施形態の構成に限られず、種々の変形が可能である。例えば、上記実施形態では、テレビ放送受信装置１に複数の電子機器装置２及び検出装置３を接続しているが、これに限られず、テレビ放送受信装置１以外の電子機器装置に複数の電子機器装置２及び検出装置３を接続して同様のシステムを実現することも可能である。この場合、複数の電子機器装置２及び検出装置３が接続される電子機器装置は、少なくとも、検出装置３からの検出信号を受信する機能、電源オン対象機器を設定する機能、電源オン対象機器に対して電源をオンにする制御コマンドを送信する機能を有していればよい。また、検出装置３は、シリアル線７を介してテレビ放送受信装置１に接続されるものに限られず、無線によって検出信号をテレビ放送受信装置１に送信するものであってもよい。
【図面の簡単な説明】
【００３０】
【図１】本発明の一実施形態に係るテレビ放送受信装置を用いた電子機器システムの概略構成を示す図。
【図２】同電子機器システムに用いられる検出装置の構成を示す図。
【図３】同電子機器システムに用いられるテレビ放送受信装置の電気的ブロック構成図。
【符号の説明】
【００３１】
１    テレビ放送受信装置
２、２ａ、２ｂ、２ｃ、２ｄ    他の電子機器装置
３    検出装置
１１    制御部
１２    チューナ
１３    ＡＶ信号処理部
１４    ディスプレイ
１５    スピーカ
１６    検出信号受信部
１７    ＬＡＮインタフェース
１８    ＩＲコントローラインタフェース
１９    ＩＥＥＥ１３９４インタフェース
２０    メモリ
２１    リモコン
２２    リモコン受信部
１００    電子機器システム
【図１】
2007324826.tif 000003
【図２】
2007324826.tif 000004
【図３】
2007324826.tif 000005